(57)【要約】【課題】使用に際したたまれている状態から広げるときに要する時間を極力短縮することができるエプロンを提供することを目的とする。【解決手段】着用者の前面を覆う前面部７と、前面部７とともに筒状の袖部１３を形成する背面部９と、前面部７と背面部９との上端部に設けられた首通し孔１１とを備えたエプロン１において、縦折り線Ｌ４，Ｌ６，Ｌ７での縦折りがなされ、横折りＬ７，Ｌ８，Ｌ９での横折りがなされているエプロンである。【選択図】図１２
2014084541.tif 000002
【特許請求の範囲】
【請求項１】
着用者の前面を覆う前面部と、前記前面部とともに筒状の袖部を形成するために前記前面部の上端から下方に向かって前記前面部よりも短く延びている背面部と、前記前面部と前記背面部との上端部に設けられた首通し孔とを備えたエプロンにおいて、
前記エプロンが広げられており前記背面部が奥側に位置し前記前面部が手前側に位置している状態から、前記エプロンの横方向の一端側で前記エプロンの縦方向に延びた第１の縦折り線のところで、前記前面部の前記第１の縦折り線よりも前記一端側の部位が手前側に来て前記前面部同士が接触するように、第１の縦折りがなされ、
前記第１の縦折りがなされた後に、前記エプロンの横方向の他端側で前記エプロンの縦方向に延びた第２の縦折り線のところで、前記前面部の前記第２の縦折り線よりも前記他端側の部位が手前側に来て前記前面部同士が接触するように、第２の縦折りがなされ、
前記第２の縦折りがなされた後に、前記エプロンの縦方向における前記背面部とは反対側で前記エプロンの横方向に延びた第１の横折り線のところで、前記前面部の前記第１の横折り線よりも前記背面部とは反対側の部位が手前側に来て前記前面部同士が接触するように、第１の横折りがなされ、この第１の横折りがなされた後に、前記エプロンの縦方向における中央部で前記エプロンの横方向に延びた第２の横折り線のところで、前記前面部同士が接触するように、第２の横折りがなされ、この第２の横折りがなされた後に、前記エプロンの縦方向における中央部で前記エプロンの横方向に延びた第３の横折り線のところで、前記前面部同士が接触するように、第３の横折りがなされているか、
または、前記第２の縦折りがなされた後に、前記エプロンの縦方向における中央部で前記エプロンの横方向に延びた第１の横折り線のところで、前記前面部同士が接触するように、第１の横折りがなされ、この第１の横折りがなされた後に、前記エプロンの縦方向における中央部で前記エプロンの横方向に延びた第２の横折り線のところで、前記前面部同士が接触するように、第２の横折りがなされているか、
または、前記第２の縦折りがなされた後に、前記エプロンの縦方向で所定の間隔をあけ前記エプロンの横方向に延びた複数の横折り線のところで、つづら折りがなされていることを特徴とするエプロン。
【請求項２】
請求項１に記載のエプロンにおいて、
前記横折り線のところでの折り込みがなされた後に、前記エプロンの横方向の一端側で前記エプロンの縦方向に延びた第３の縦折り線のところで、前記前面部の前記第３の縦折り線よりも前記一端側の部位が手前側に来て前記前面部同士が接触するように、第３の縦折りがなされ、
前記第３の縦折りがなされた後に、前記エプロンの横方向の他端側で前記エプロンの縦方向に延びた第４の縦折り線のところで、前記前面部の前記第４の縦折り線よりも前記他端側の部位が手前側に来て前記前面部同士が接触するように、第４の縦折りがなされていることを特徴とするエプロン。
【請求項３】
請求項１または請求項２に記載のエプロンにおいて、
前記背面部には、前記第１の縦折りをする位置の目印と、前記第２の縦折りをする位置の目印とが設けられていることを特徴とするエプロン。
【請求項４】
請求項１〜請求項３のいずれか1項に記載のエプロンにおいて、
前記前面部から一対の腰紐が下方に向かって延出しており、
前記第１の縦折りでは、前記一対の腰紐のうちの一方の腰紐が、前記前面部の前記第１の縦折り線よりも前記一端側の部位といっしょに縦折りされ、
前記第２の縦折りでは、前記一対の腰紐のうちの他方の腰紐が、前記前面部の前記第２の縦折り線よりも前記他端側の部位といっしょに縦折りされていることを特徴とするエプロン。
【請求項５】
着用者の前面を覆う前面部と、前記前面部とともに筒状の袖部を形成するために前記前面部の上端から下方に向かって前記前面部よりも短く延びている背面部と、前記前面部と前記背面部との上端部に設けられた首通し孔とを備えたエプロンにおいて、
前記エプロンの横方向の一端側の袖部の付け根のところで斜めに延びている第１の斜折り曲げ線のところで、前記一端側の袖部が前記前面部の手前側に来て前記一端側の袖部がこの袖部を除く前記前面部に接触するように、第１の斜折りがなされ、
前記エプロンの横方向の他端側の袖部の付け根のところで斜めに延びている第２の斜折り曲げ線のところで、前記他端側の袖部が前記前面部の手前側に来て前記他端側の袖部がこの袖部を除く前記前面部に接触するように、第２の斜折りがなされ、
前記各斜折りがなされた後に、前記エプロンの縦方向における前記背面部とは反対側で前記エプロンの横方向に延びた第１の横折り線のところで、前記前面部の前記第１の横折り線よりも前記背面部とは反対側の部位が手前側に来て前記前面部同士が接触するように、第１の横折りがなされ、この第１の横折りがなされた後に、前記エプロンの縦方向における中央部で前記エプロンの横方向に延びた第２の横折り線のところで、前記前面部同士が接触するように、第２の横折りがなされ、この第２の横折りがなされた後に、前記エプロンの縦方向における中央部で前記エプロンの横方向に延びた第３の横折り線のところで、前記前面部同士が接触するように、第３の横折りがなされているか、
または、前記各斜折りがなされた後に、前記エプロンの縦方向における中央部で前記エプロンの横方向に延びた第１の横折り線のところで、前記前面部同士が接触するように、第１の横折りがなされ、この第１の横折りがなされた後に、前記エプロンの縦方向における中央部で前記エプロンの横方向に延びた第２の横折り線のところで、前記前面部同士が接触するように、第２の横折りがなされているか、
または、前記各斜折りがなされた後に、前記エプロンの縦方向で所定の間隔をあけ前記エプロンの横方向に延びた複数の横折り線のところで、つづら折りがなされており、
前記横折り線のところでの折り込みがなされた後に、前記エプロンの横方向の一端側で前記エプロンの縦方向に延びた第１の縦折り線のところで、前記前面部の前記第１の縦折り線よりも前記一端側の部位が手前側に来て前記前面部同士が接触するように、第１の縦折りがなされ、
前記第１の縦折りがなされた後に、前記エプロンの横方向の他端側で前記エプロンの縦方向に延びた第２の縦折り線のところで、前記前面部の前記第２の縦折り線よりも前記他端側の部位が手前側に来て前記前面部同士が接触するように、第２の縦折りがなされていることを特徴とするエプロン。
【請求項６】
着用者の前面を覆う前面部と、前記前面部とともに筒状の袖部を形成するために前記前面部の上端から下方に向かって前記前面部よりも短く延びている背面部と、前記前面部と前記背面部との上端部に設けられた首通し孔とを備えたエプロンにおいて、
前記エプロンの横方向の一端側の袖部の付け根のところで斜めに延びている第１の斜折り曲げ線のところで、前記一端側の袖部が前記前面部の手前側に来て前記一端側の袖部がこの袖部を除く前記前面部に接触するように、第１の斜折りがなされ、
前記エプロンの横方向の他端側の袖部の付け根のところで斜めに延びている第２の斜折り曲げ線のところで、前記他端側の袖部が前記前面部の手前側に来て前記他端側の袖部がこの袖部を除く前記前面部に接触するように、第２の斜折りがなされ、
前記各斜折りがなされた後に、前記エプロンの横方向の一端側で前記エプロンの縦方向に延びた第１の縦折り線のところで、前記前面部の前記第１の縦折り線よりも前記一端側の部位が手前側に来て前記前面部同士が接触するように、第１の縦折りがなされ、
前記第１の縦折りがなされた後に、前記エプロンの横方向の他端側で前記エプロンの縦方向に延びた第２の縦折り線のところで、前記前面部の前記第２の縦折り線よりも前記他端側の部位が手前側に来て前記前面部同士が接触するように、第２の縦折りがなされ、
前記第２の縦折り線のところでの折り込みがなされた後に、前記エプロンの横方向の一端側で前記エプロンの縦方向に延びた第３の縦折り線のところで、前記前面部の前記第３の縦折り線よりも前記一端側の部位が手前側に来て前記前面部同士が接触するように、第３の縦折りがなされ、
前記第３の縦折りがなされた後に、前記エプロンの横方向の他端側で前記エプロンの縦方向に延びた第４の縦折り線のところで、前記前面部の前記第４の縦折り線よりも前記他端側の部位が手前側に来て前記前面部同士が接触するように、第４の縦折りがなされ、
前記各縦折りがなされた後に、前記エプロンの縦方向における前記背面部とは反対側で前記エプロンの横方向に延びた第１の横折り線のところで、前記前面部の前記第１の横折り線よりも前記背面部とは反対側の部位が手前側に来て前記前面部同士が接触するように、第１の横折りがなされ、この第１の横折りがなされた後に、前記エプロンの縦方向における中央部で前記エプロンの横方向に延びた第２の横折り線のところで、前記前面部同士が接触するように、第２の横折りがなされ、この第２の横折りがなされた後に、前記エプロンの縦方向における中央部で前記エプロンの横方向に延びた第３の横折り線のところで、前記前面部同士が接触するように、第３の横折りがなされているか、
または、前記各縦折りがなされた後に、前記エプロンの縦方向における中央部で前記エプロンの横方向に延びた第１の横折り線のところで、前記前面部同士が接触するように、第１の横折りがなされ、この第１の横折りがなされた後に、前記エプロンの縦方向における中央部で前記エプロンの横方向に延びた第２の横折り線のところで、前記前面部同士が接触するように、第２の横折りがなされているか、
または、前記各縦折りがなされた後に、前記エプロンの縦方向で所定の間隔をあけ前記エプロンの横方向に延びた複数の横折り線のところで、つづら折りがなされていることを特徴とするエプロン。
【請求項７】
着用者の前面を覆う前面部と、前記前面部とともに筒状の袖部を形成するために前記前面部の上端から下方に向かって前記前面部よりも短く延びている背面部と、前記前面部と前記背面部との上端部に設けられた首通し孔とを備えたエプロンにおいて、
前記エプロンが広げられており前記背面部が奥側に位置し前記前面部が手前側に位置している状態から、前記エプロンの横方向で所定の間隔をあけて前記エプロンの縦方向に延びている複数本の縦折り線それぞれのところで、縦折り線のところの谷の部位が横方向で１回以下の他の縦折り線を経由して外気につながる第１の谷折り、第１の山折りの少なくともいずれかがなされ、
前記第１の谷折り、第１の山折りがなされた後、前記エプロンの縦方向で所定の間隔をあけて前記エプロンの横方向に延びている複数本の横折り線それぞれのところで、横折り線のところの谷の部位が縦方向で１回以下の他の横折り線を経由して外気につながる第２の谷折り、第２の山折りの少なくともいずれかがなされ、
前記第２の谷折り、第２の山折りがなされた後、前記エプロンの横方向で所定の間隔をあけて前記エプロンの縦方向に延びている複数本の縦折り線それぞれのところで、縦折り線のところの谷の部位が横方向で１回以下の他の縦折り線を経由して外気につながる第３の谷折り、第３の山折りの少なくともいずれかがなされているか、
または、前記エプロンが広げられており前記背面部が奥側に位置し前記前面部が手前側に位置している状態から、前記エプロンの横方向で所定の間隔をあけて前記エプロンの縦方向に延びている複数本の縦折り線それぞれのところで、縦折り線のところの谷の部位が横方向で１回以下の他の縦折り線を経由して外気につながる第１の谷折り、第１の山折りの少なくともいずれかがなされ、
前記第１の谷折り、第１の山折りがなされた後、前記エプロンの縦方向で所定の間隔をあけて前記エプロンの横方向に延びている複数本の横折り線それぞれのところで、横折り線のところの谷の部位が縦方向で１回以下の他の横折り線を経由して外気につながる第２の谷折り、第２の山折りの少なくともいずれかがなされているか、
または、前記エプロンが広げられており前記背面部が奥側に位置し前記前面部が手前側に位置している状態から、前記エプロンの縦方向で所定の間隔をあけて前記エプロンの横方向に延びている複数本の横折り線それぞれのところで、横折り線のところの谷の部位が縦方向で１回以下の他の横折り線を経由して外気につながる第１の谷折り、第１の山折りの少なくともいずれかがなされ、
前記第１の谷折り、第１の山折りがなされた後、前記エプロンの横方向で所定の間隔をあけて前記エプロンの縦方向に延びている複数本の縦折り線それぞれのところで、縦折り線のところの谷の部位が横方向で１回以下の他の縦折り線を経由して外気につながる第２の谷折り、第２の山折りの少なくともいずれかがなされているか、
または、前記エプロンが広げられており前記背面部が奥側に位置し前記前面部が手前側に位置している状態から、前記エプロンの縦方向で所定の間隔をあけて前記エプロンの横方向に延びている複数本の横折り線それぞれのところで、横折り線のところの谷の部位が縦方向で１回以下の他の横折り線を経由して外気につながる第１の谷折り、第１の山折りの少なくともいずれかがなされ、
前記第１の谷折り、第１の山折りがなされた後、前記エプロンの横方向で所定の間隔をあけて前記エプロンの縦方向に延びている複数本の縦折り線それぞれのところで、縦折り線のところの谷の部位が横方向で１回以下の他の縦折り線を経由して外気につながる第２の谷折り、第２の山折りの少なくともいずれかがなされ、
前記第２の谷折り、第２の山折りがなされた後、前記エプロンの縦方向で所定の間隔をあけて前記エプロンの横方向に延びている複数本の横折り線それぞれのところで、横折り線のところの谷の部位が縦方向で１回以下の他の横折り線を経由して外気につながる第３の谷折り、第３の山折りの少なくともいずれかがなされていることを特徴とするエプロン。
【発明の詳細な説明】
【技術分野】
【０００１】
本発明は、エプロンに係り、特に、医療用に適したものに関する。
【背景技術】
【０００２】
従来、医療用エプロンとして特許文献１に記載の使い捨てエプロンが知られている。医療用のエプロンは、病原体に感染し咳やくしゃみなどを伴う患者の処置、緊急搬送されてきた出血を伴う患者の処置、嘔吐を伴う患者の処置等の際に、患者と医療従事者間、患者相互間で生じる感染の防止を目的として使用されるものである。このため、迅速な着用と脱ぎ捨てができることと、身体を十分に覆うことができる形状であることが必要である。
【０００３】
また、医療用エプロンは使用のために広げると嵩張ってしまうので、使用前の保管状態では小さく折りたたまれている（たとえば、特許文献２参照）。
【先行技術文献】
【特許文献】
【０００４】
【特許文献１】登録実用新案公報第３０６１７３４号公報
【特許文献２】特開昭６３−８８５４５号公報
【発明の概要】
【発明が解決しようとする課題】
【０００５】
しかしながら、使用前の小さく折りたたまれている状態から、使用ためにエプロンを広げるときに、時間がかかってしまうという問題がある。すなわち、従来の折りたたみ方では、折りたたみの回数が多く複数回の折りたたみにおいて折りたたみ線の方向が異なっているとともに複雑に組み合わされているので、使用ためにエプロンを広げようとしても途中で引っかかってしまい、広げるために比較的長い時間を要してしまう。
【０００６】
本発明は、上記問題点に鑑みてなされたものであり、使用に際したたまれている状態から広げるときに要する時間を極力短縮することができるエプロンを提供することを目的とする。
【課題を解決するための手段】
【０００７】
請求項１に記載の発明は、着用者の前面を覆う前面部と、前記前面部とともに筒状の袖部を形成するために前記前面部の上端から下方に向かって前記前面部よりも短く延びている背面部と、前記前面部と前記背面部との上端部に設けられた首通し孔とを備えたエプロンにおいて、前記エプロンが広げられており前記背面部が奥側に位置し前記前面部が手前側に位置している状態から、前記エプロンの横方向の一端側で前記エプロンの縦方向に延びた第１の縦折り線のところで、前記前面部の前記第１の縦折り線よりも前記一端側の部位が手前側に来て前記前面部同士が接触するように、第１の縦折りがなされ、前記第１の縦折りがなされた後に、前記エプロンの横方向の他端側で前記エプロンの縦方向に延びた第２の縦折り線のところで、前記前面部の前記第２の縦折り線よりも前記他端側の部位が手前側に来て前記前面部同士が接触するように、第２の縦折りがなされ、前記第２の縦折りがなされた後に、前記エプロンの縦方向における前記背面部とは反対側で前記エプロンの横方向に延びた第１の横折り線のところで、前記前面部の前記第１の横折り線よりも前記背面部とは反対側の部位が手前側に来て前記前面部同士が接触するように、第１の横折りがなされ、この第１の横折りがなされた後に、前記エプロンの縦方向における中央部で前記エプロンの横方向に延びた第２の横折り線のところで、前記前面部同士が接触するように、第２の横折りがなされ、この第２の横折りがなされた後に、前記エプロンの縦方向における中央部で前記エプロンの横方向に延びた第３の横折り線のところで、前記前面部同士が接触するように、第３の横折りがなされているか、または、前記第２の縦折りがなされた後に、前記エプロンの縦方向における中央部で前記エプロンの横方向に延びた第１の横折り線のところで、前記前面部同士が接触するように、第１の横折りがなされ、この第１の横折りがなされた後に、前記エプロンの縦方向における中央部で前記エプロンの横方向に延びた第２の横折り線のところで、前記前面部同士が接触するように、第２の横折りがなされているか、または、前記第２の縦折りがなされた後に、前記エプロンの縦方向で所定の間隔をあけ前記エプロンの横方向に延びた複数の横折り線のところで、つづら折りがなされているエプロンである。
【０００８】
請求項２に記載の発明は、請求項１に記載のエプロンにおいて、前記横折り線のところでの折り込みがなされた後に、前記エプロンの横方向の一端側で前記エプロンの縦方向に延びた第３の縦折り線のところで、前記前面部の前記第３の縦折り線よりも前記一端側の部位が手前側に来て前記前面部同士が接触するように、第３の縦折りがなされ、前記第３の縦折りがなされた後に、前記エプロンの横方向の他端側で前記エプロンの縦方向に延びた第４の縦折り線のところで、前記前面部の前記第４の縦折り線よりも前記他端側の部位が手前側に来て前記前面部同士が接触するように、第４の縦折りがなされているエプロンである。
【０００９】
請求項３に記載の発明は、請求項１または請求項２に記載のエプロンにおいて、前記背面部には、前記第１の縦折りをする位置の目印と、前記第２の縦折りをする位置の目印とが設けられているエプロンである。
【００１０】
請求項４に記載の発明は、請求項１〜請求項３のいずれか1項に記載のエプロンにおいて、前記前面部から一対の腰紐が下方に向かって延出しており、前記第１の縦折りでは、前記一対の腰紐のうちの一方の腰紐が、前記前面部の前記第１の縦折り線よりも前記一端側の部位といっしょに縦折りされ、前記第２の縦折りでは、前記一対の腰紐のうちの他方の腰紐が、前記前面部の前記第２の縦折り線よりも前記他端側の部位といっしょに縦折りされているエプロンである。
【００１１】
請求項５に記載の発明は、着用者の前面を覆う前面部と、前記前面部とともに筒状の袖部を形成するために前記前面部の上端から下方に向かって前記前面部よりも短く延びている背面部と、前記前面部と前記背面部との上端部に設けられた首通し孔とを備えたエプロンにおいて、前記エプロンの横方向の一端側の袖部の付け根のところで斜めに延びている第１の斜折り曲げ線のところで、前記一端側の袖部が前記前面部の手前側に来て前記一端側の袖部がこの袖部を除く前記前面部に接触するように、第１の斜折りがなされ、前記エプロンの横方向の他端側の袖部の付け根のところで斜めに延びている第２の斜折り曲げ線のところで、前記他端側の袖部が前記前面部の手前側に来て前記他端側の袖部がこの袖部を除く前記前面部に接触するように、第２の斜折りがなされ、前記各斜折りがなされた後に、前記エプロンの縦方向における前記背面部とは反対側で前記エプロンの横方向に延びた第１の横折り線のところで、前記前面部の前記第１の横折り線よりも前記背面部とは反対側の部位が手前側に来て前記前面部同士が接触するように、第１の横折りがなされ、この第１の横折りがなされた後に、前記エプロンの縦方向における中央部で前記エプロンの横方向に延びた第２の横折り線のところで、前記前面部同士が接触するように、第２の横折りがなされ、この第２の横折りがなされた後に、前記エプロンの縦方向における中央部で前記エプロンの横方向に延びた第３の横折り線のところで、前記前面部同士が接触するように、第３の横折りがなされているか、または、前記各斜折りがなされた後に、前記エプロンの縦方向における中央部で前記エプロンの横方向に延びた第１の横折り線のところで、前記前面部同士が接触するように、第１の横折りがなされ、この第１の横折りがなされた後に、前記エプロンの縦方向における中央部で前記エプロンの横方向に延びた第２の横折り線のところで、前記前面部同士が接触するように、第２の横折りがなされているか、または、前記各斜折りがなされた後に、前記エプロンの縦方向で所定の間隔をあけ前記エプロンの横方向に延びた複数の横折り線のところで、つづら折りがなされており、前記横折り線のところでの折り込みがなされた後に、前記エプロンの横方向の一端側で前記エプロンの縦方向に延びた第１の縦折り線のところで、前記前面部の前記第１の縦折り線よりも前記一端側の部位が手前側に来て前記前面部同士が接触するように、第１の縦折りがなされ、前記第１の縦折りがなされた後に、前記エプロンの横方向の他端側で前記エプロンの縦方向に延びた第２の縦折り線のところで、前記前面部の前記第２の縦折り線よりも前記他端側の部位が手前側に来て前記前面部同士が接触するように、第２の縦折りがなされているエプロンである。
【００１２】
請求項６に記載の発明は、着用者の前面を覆う前面部と、前記前面部とともに筒状の袖部を形成するために前記前面部の上端から下方に向かって前記前面部よりも短く延びている背面部と、前記前面部と前記背面部との上端部に設けられた首通し孔とを備えたエプロンにおいて、前記エプロンの横方向の一端側の袖部の付け根のところで斜めに延びている第１の斜折り曲げ線のところで、前記一端側の袖部が前記前面部の手前側に来て前記一端側の袖部がこの袖部を除く前記前面部に接触するように、第１の斜折りがなされ、前記エプロンの横方向の他端側の袖部の付け根のところで斜めに延びている第２の斜折り曲げ線のところで、前記他端側の袖部が前記前面部の手前側に来て前記他端側の袖部がこの袖部を除く前記前面部に接触するように、第２の斜折りがなされ、前記各斜折りがなされた後に、前記エプロンの横方向の一端側で前記エプロンの縦方向に延びた第１の縦折り線のところで、前記前面部の前記第１の縦折り線よりも前記一端側の部位が手前側に来て前記前面部同士が接触するように、第１の縦折りがなされ、前記第１の縦折りがなされた後に、前記エプロンの横方向の他端側で前記エプロンの縦方向に延びた第２の縦折り線のところで、前記前面部の前記第２の縦折り線よりも前記他端側の部位が手前側に来て前記前面部同士が接触するように、第２の縦折りがなされ、前記第２の縦折り線のところでの折り込みがなされた後に、前記エプロンの横方向の一端側で前記エプロンの縦方向に延びた第３の縦折り線のところで、前記前面部の前記第３の縦折り線よりも前記一端側の部位が手前側に来て前記前面部同士が接触するように、第３の縦折りがなされ、前記第３の縦折りがなされた後に、前記エプロンの横方向の他端側で前記エプロンの縦方向に延びた第４の縦折り線のところで、前記前面部の前記第４の縦折り線よりも前記他端側の部位が手前側に来て前記前面部同士が接触するように、第４の縦折りがなされ、前記各縦折りがなされた後に、前記エプロンの縦方向における前記背面部とは反対側で前記エプロンの横方向に延びた第１の横折り線のところで、前記前面部の前記第１の横折り線よりも前記背面部とは反対側の部位が手前側に来て前記前面部同士が接触するように、第１の横折りがなされ、この第１の横折りがなされた後に、前記エプロンの縦方向における中央部で前記エプロンの横方向に延びた第２の横折り線のところで、前記前面部同士が接触するように、第２の横折りがなされ、この第２の横折りがなされた後に、前記エプロンの縦方向における中央部で前記エプロンの横方向に延びた第３の横折り線のところで、前記前面部同士が接触するように、第３の横折りがなされているか、または、前記各縦折りがなされた後に、前記エプロンの縦方向における中央部で前記エプロンの横方向に延びた第１の横折り線のところで、前記前面部同士が接触するように、第１の横折りがなされ、この第１の横折りがなされた後に、前記エプロンの縦方向における中央部で前記エプロンの横方向に延びた第２の横折り線のところで、前記前面部同士が接触するように、第２の横折りがなされているか、または、前記各縦折りがなされた後に、前記エプロンの縦方向で所定の間隔をあけ前記エプロンの横方向に延びた複数の横折り線のところで、つづら折りがなされているエプロンである。
【００１３】
請求項７に記載の発明は、着用者の前面を覆う前面部と、前記前面部とともに筒状の袖部を形成するために前記前面部の上端から下方に向かって前記前面部よりも短く延びている背面部と、前記前面部と前記背面部との上端部に設けられた首通し孔とを備えたエプロンにおいて、前記エプロンが広げられており前記背面部が奥側に位置し前記前面部が手前側に位置している状態から、前記エプロンの横方向で所定の間隔をあけて前記エプロンの縦方向に延びている複数本の縦折り線それぞれのところで、縦折り線のところの谷の部位が横方向で１回以下の他の縦折り線を経由して外気につながる第１の谷折り、第１の山折りの少なくともいずれかがなされ、前記第１の谷折り、第１の山折りがなされた後、前記エプロンの縦方向で所定の間隔をあけて前記エプロンの横方向に延びている複数本の横折り線それぞれのところで、横折り線のところの谷の部位が縦方向で１回以下の他の横折り線を経由して外気につながる第２の谷折り、第２の山折りの少なくともいずれかがなされ、前記第２の谷折り、第２の山折りがなされた後、前記エプロンの横方向で所定の間隔をあけて前記エプロンの縦方向に延びている複数本の縦折り線それぞれのところで、縦折り線のところの谷の部位が横方向で１回以下の他の縦折り線を経由して外気につながる第３の谷折り、第３の山折りの少なくともいずれかがなされているか、または、前記エプロンが広げられており前記背面部が奥側に位置し前記前面部が手前側に位置している状態から、前記エプロンの横方向で所定の間隔をあけて前記エプロンの縦方向に延びている複数本の縦折り線それぞれのところで、縦折り線のところの谷の部位が横方向で１回以下の他の縦折り線を経由して外気につながる第１の谷折り、第１の山折りの少なくともいずれかがなされ、前記第１の谷折り、第１の山折りがなされた後、前記エプロンの縦方向で所定の間隔をあけて前記エプロンの横方向に延びている複数本の横折り線それぞれのところで、横折り線のところの谷の部位が縦方向で１回以下の他の横折り線を経由して外気につながる第２の谷折り、第２の山折りの少なくともいずれかがなされているか、または、前記エプロンが広げられており前記背面部が奥側に位置し前記前面部が手前側に位置している状態から、前記エプロンの縦方向で所定の間隔をあけて前記エプロンの横方向に延びている複数本の横折り線それぞれのところで、横折り線のところの谷の部位が縦方向で１回以下の他の横折り線を経由して外気につながる第１の谷折り、第１の山折りの少なくともいずれかがなされ、前記第１の谷折り、第１の山折りがなされた後、前記エプロンの横方向で所定の間隔をあけて前記エプロンの縦方向に延びている複数本の縦折り線それぞれのところで、縦折り線のところの谷の部位が横方向で１回以下の他の縦折り線を経由して外気につながる第２の谷折り、第２の山折りの少なくともいずれかがなされているか、または、前記エプロンが広げられており前記背面部が奥側に位置し前記前面部が手前側に位置している状態から、前記エプロンの縦方向で所定の間隔をあけて前記エプロンの横方向に延びている複数本の横折り線それぞれのところで、横折り線のところの谷の部位が縦方向で１回以下の他の横折り線を経由して外気につながる第１の谷折り、第１の山折りの少なくともいずれかがなされ、前記第１の谷折り、第１の山折りがなされた後、前記エプロンの横方向で所定の間隔をあけて前記エプロンの縦方向に延びている複数本の縦折り線それぞれのところで、縦折り線のところの谷の部位が横方向で１回以下の他の縦折り線を経由して外気につながる第２の谷折り、第２の山折りの少なくともいずれかがなされ、前記第２の谷折り、第２の山折りがなされた後、前記エプロンの縦方向で所定の間隔をあけて前記エプロンの横方向に延びている複数本の横折り線それぞれのところで、横折り線のところの谷の部位が縦方向で１回以下の他の横折り線を経由して外気につながる第３の谷折り、第３の山折りの少なくともいずれかがなされているエプロンである。
【発明の効果】
【００１４】
本発明によれば、使用に際したたまれている状態から広げるときに要する時間を極力短縮することができるエプロンを提供することができるという効果を奏する。
【図面の簡単な説明】
【００１５】
【図１】本発明の実施形態に係るエプロンを着等するために広げた状態を示す斜視図である。
【図２】図１におけるＩＩ矢視図である。
【図３】本発明の実施形態に係るエプロンの展開図である。
【図４】エプロンの折りたたみ工程を示す図である。
【図５】エプロンの折りたたみ工程を示す図である。
【図６】エプロンの折りたたみ工程を示す図である。
【図７】エプロンの折りたたみ工程を示す図である。
【図８】エプロンの折りたたみ工程を示す図である。
【図９】エプロンの折りたたみ工程を示す図である。
【図１０】エプロンの折りたたみ工程を示す図である。
【図１１】エプロンの折りたたみ工程を示す図である。
【図１２】たたみ込まれたエプロンを広げるときの状態を示す図である。
【図１３】（ａ）は、図７におけるＸＩＩＩ―ＸＩＩＩ断面を簡略化して示した図（腰紐を表示していない図）であり、（ｂ）、（ｃ）、（ｄ）、（ｅ）、（ｆ）は、（ａ）に対応した図であって、折りたたみ方の変形例を示す図である。
【図１４】（ａ）は、図１０におけるＸＩＶ―ＸＩＶ断面を簡略化して示した図（腰紐や袖部を表示していない図）であり、（ｂ）、（ｃ）は、（ａ）に対応した図であって、折りたたみ方の変形例を示す図である。
【図１５】（ａ）は、図１０におけるＸＶＡ矢視を簡略化して示した図（腰紐や袖部を表示していない図）であり、（ｂ）は、図１１におけるＸＶＢ矢視を簡略化して示した図（腰紐や袖部を表示していない図）であり、（ｃ）は、（ｂ）に対応した図であって、折りたたみ方の変形例を示す図である。
【発明を実施するための形態】
【００１６】
本発明の実施形態に係るエプロン１は、たとえば、一枚の合成樹脂（ポリエチレン、ポリ塩化ビニル、不織布等）の薄肉シートによって形成されている。そして、図３に示す展開図の形状に裁断（形抜き）した薄肉シート３の必要箇所（袖部１３のところ）５を接着（たとえば熱溶着）することで形成されている。この接着によって袖部１３が筒状になっている。
【００１７】
また、エプロン１は、医療従事者と患者との直接的または間接的な接触を防止して相互間で発生する感染病（ウイルス感染、血液感染等によるもの）を予防するために使用されるものである。特に、救急患者の処置時に生じる嘔吐（または、咳やくしゃみ）、汚物や飛散する血液との接触を防止するために重要な役割を果たすものである。
【００１８】
エプロン１は、使い捨てとすることが望ましいが、やむを得ず再利用する場合には、洗浄と滅菌処理とを行う必要がある。
【００１９】
また、エプロン１は、左右対称に形成されており、シート状の前面部７とシート状の背面部９と首通し孔１１とを備えて構成されている。前面部７は、着用者の前面（胸部と腹部とを含む前面）を覆うものである。シート状の背面部９は、前面部７に一体で設けられており（図３参照）、折り曲げ線Ｌ１のところで折り曲げ、熱溶着箇所５のところを熱溶することにより、背面部９の一部（左右の両端部側の部位）が前面部７とともに筒状の袖部１３を形成するようになっている。
【００２０】
さらに説明すると、図３等で示すように、前面部７は、概ね矩形状に形成されている本体部１５と、概ね矩形状に形成されて本体部１５の上端側で左右に突出している一対の袖部形成部１７とで概ね「Ｔ」字状に形成されている。
【００２１】
また、本体部１５の上下方向の中間部からは、一対の腰紐１９が突出している。右側の腰紐１９は、本体部１５から右方向に少し突出した後、突出方向が曲がり下方に延出している。上下方向では、右側の腰紐１９の先端（下端）は、本体部１５の下端よりも僅かに上方に位置しており、左右方向では、右側の腰紐１９の右端は、右側の袖部形成部１７の右端よりも左方に位置している。左側の腰紐１９も、右側の腰紐１９と同様にして、本体部１５から左方向に少し突出した後、突出方向が曲がり下方に延出している。
【００２２】
また、袖部形成部１７と腰紐１９との間には、一対のくびれ部２１が設けられており、このくびれ部２１が設けられているところでは、本体部１５の幅が本体部１５の下側の部位（腰紐１９の突出部位よりも下方の部位）よりも若干狭くなっている。
【００２３】
袖部１３は、着用者の左右の腕を通すためのものであり、左右一対で形成されている。また、起立している着用者がエプロン１を着用した場合、前面部７の本体部１５は、上下方向では、肩や首の付け根のところ（鎖骨の上側の体の部位）から着用者の胸や腹を覆うようにして下方に延伸し、下端が膝部のあたりに位置する長さ（上下方向の寸法）になっている。また、起立しているエプロン１を着用者が着用した場合、前面部７の本体部１５は、左右方向では、右端が右脇腹（体の右側面）よりも僅かに背側のところに位置し、左端が右脇腹（体の左側面）よりも僅かに背側のところに位置するようになっている。
【００２４】
背面部９は、上下方向では、前面部７の上端から下方に向かって前面部７よりも短く延びおり、起立している着用者が着用した場合、下端が脇の下のあたりに位置する長さ（上下方向の寸法）になっている。さらに、背面部９は、左右方向の中央部（本体部１５に相当する部位の幅）で、高さ寸法Ｈ１が他の部位の高さ寸法Ｈ２よりも小さくなるような切り欠き２５が形成されている。
【００２５】
袖部１３は、着用者が着用した場合、先端が着用者の手首のところに位置する長さになっている。また、袖部１３は先端（袖口）１８側に向かうほど径は小さくなっており、袖口１８には、開口を弾性的に縮めるようにゴム紐が内装されており、着用者の手首部分に袖口１８が密着するようになっている。
【００２６】
首通し孔１１は、前面部７と背面部９との上端部であって前面部７と背面部９との左右方向の中央部に設けられている。また、背面部９には、背面部９の破断を容易にするための切り込み２３が設けられている。エプロン１の着用後エプロン１を脱ぐときに、切り込み２３のところで背面部９が破断しやすくなり、首通し孔１１が壊れやすくなる。これによりエプロン１をぬぎやすくなる。
【００２７】
ところで、各図で示した右側や左側は、エプロン１を着用した着用者から見たときの右側、左側である。したがって、図３〜図９では、左右の表示が逆になっている。
【００２８】
エプロン１は次に示すたたみ込み（畳み込み）がなされて保管等されるのでされるのであるが、そのたたみ込みについて説明する。
【００２９】
まず、エプロン１が広げられて（「Ｔ」字状になって）おり背面部９が奥側に位置し前面部７が手前側に位置している状態（折り曲げ前の初期状態）から、図４で示すように、第１の縦折りをする。
【００３０】
第１の縦折りは、第１の縦折り線Ｌ４のところでエプロン１を折り曲げることでなされる。第１の縦折りがなされたことで、前面部７の第１の縦折り線Ｌ４よりも一端側の部位（たとえば右側の部位）が手前側に来て前面部７同士が接触する（重なる；図５参照）。
【００３１】
第１の縦折り線Ｌ４は、エプロン１の横方向（左右方向）の一端側（たとえば右側）でエプロン１の縦方向（上下方向）に延びている。
【００３２】
さらに説明すると、第１の縦折りがなされたことで、第１の縦折り線Ｌ４のところで１８０°程度の谷折りがなされ、第１の縦折り線Ｌ４よりも右側の部位の厚さ方向と第１の縦折り線Ｌ４よりも左側の部位の厚さ方向とがお互いに一致して重なっている。
【００３３】
また、折り曲げ前の初期状態におけるエプロン１の横方向の一端と第１の縦折り線Ｌ４との間の距離Ｗ１の値と、袖部１３と腰紐１９とを除くエプロン１（本体部１５）の横方向の寸法Ｗ３の値との比は、１／３．５程度になっている（図４参照）。なお、上記比の範囲が１／４〜１／３の間の値になっていてもよいし、さらには、上記比の範囲が１／５〜１／２の間の値になっていてもよい。
【００３４】
また、第１の縦折りによって、一対の腰紐１９のうちの一方の腰紐（右側の腰紐）１９が、前面部７の第１の縦折り線Ｌ４よりも一端側の部位（右側の部位）といっしょに縦折りされている（図５参照）。腰紐１９が、前面部７から下方に向かって延出していることで、腰紐１９が右方向に向かって延出しているものに比べ、第１の縦折りがしやすくなっている。
【００３５】
第１の縦折りがなされた後に、図５で示すように、右側の袖部１３の斜め折り（第１の斜折り）がなされる。すなわち、右側の袖部１３はこの付け根のところで斜めに延びている第１の斜折り曲げ線Ｌ５のところで１８０°程度の谷折りがなされる。この第１の斜折りによって、右側の袖部１３が前面部７に重なって右肩の部位から下方に延伸する（図６参照）。
【００３６】
第１の縦折りがなされ第１の斜折りがなされた後に、図６で示すように、第２の縦折りをする。
【００３７】
第２の縦折りは、第２の縦折り線Ｌ６のところでエプロン１を折り曲げることでなされる。第２の縦折りがなされたことで、前面部７の第２の縦折り線Ｌ６よりも他端側の部位（たとえば左側の部位）が手前側に来て前面部同士が接触する（重なる；図７参照）。
【００３８】
第２の縦折り線Ｌ６は、エプロン１の横方向（左右方向）の他端側（たとえば左側）でエプロン１の縦方向（上下方向）に延びている。
【００３９】
第１の縦折りの場合と同様にして、第２の縦折りがなされたことで、第２の縦折り線Ｌ６のところで、１８０°程度の谷折りがなされ、第２の縦折り線Ｌ６よりも左側の部位の厚さ方向と第２の縦折り線Ｌ６よりも右側の部位の厚さ方向とがお互いに一致して重なっている。
【００４０】
また、第１の縦折り線Ｌ４と第２の縦折り線Ｌ６とは、折り曲げ前の初期状態において、エプロンの中心を通り縦方向に延びる中心線に対してお互いが対称になっている。なお、上記比が１／２である場合には、第２の縦折りはなされない。
【００４１】
第２の縦折りがなされた後に、左側の袖部１３の斜め折り（第２の斜折り）がなされる（図７参照）。すなわち、左側の袖部１３はこの付け根のところで斜めに延びている第２の斜折り曲げ線のところで１８０°程度の谷折りがなされる。この第２の斜折りによって、第１の斜折りの場合と同様にして、左側の袖部１３が前面部に重なって左肩の部位から下方に延伸する。
【００４２】
また、第２の縦折りによって、一対の腰紐１９のうちの他方の腰紐（左側の腰紐）１９が、前面部７の第２の縦折り線Ｌ６よりも他端側の部位（左側の部位）といっしょに縦折りされている。第１の縦折りの場合と同様にして、腰紐１９が、前面部７から下方に向かって延出していることで、腰紐１９が左方向に向かって延出しているものに比べ、第２の縦折りがしやすくなっている。
【００４３】
なお、上述した縦折りと斜め折りとをした後、いずれの場合であっても、横方向で、縦折り線のところの谷の部位（本体部１５における谷の部位）Ａ１，Ａ３が、１回以下の他の折り線を経由して、外気Ｂ１につながっている（図１３参照）。
【００４４】
すなわち、上述した縦折りと斜め折りとをした後における、袖部１３と腰紐１９とを除いた本体部１５の断面を見ると、図１３（ａ）（図７におけるＸＩＩＩ―ＸＩＩＩ断面）で示すようになる。
【００４５】
図１３（ａ）において、縦折り線Ｌ４のところの谷の部位Ａ１は、横方向で、他の縦折り線Ｌ６を経由して外気Ｂ１につながっている（谷の部位Ａ１からエプロン１の外部Ｂ１まで延びる、直線の組み合わせで形成された折れ線を考えると、この折れ線は、谷の部位Ａ１から出発し１つの縦折り線Ｌ６のみのところで約１８０°折れ曲がり、外部Ｂ１に到達している）。縦折り線Ｌ６のところの谷の部位Ａ３は、他の縦折り線を経由すること無く、外気Ｂ１につながっている。
【００４６】
図１３（ｂ）〜（ｆ）は、上述した縦折りの変形例（図１３（ａ）の変形例）を示しているが、図１３（ａ）と同様にして、横方向で、縦折り線のところの谷の部位（本体部１５における谷の部位）が、１回以下の他の折り線を経由して、外気Ｂ１につながっている。
【００４７】
つまり、図１３（ｂ）では、部位Ａ５，Ａ７は、他の縦折り線を経由すること無く外気Ｂ１につながっている。図１３（ｃ）では、部位Ａ９が、他の１本の縦折り線を経由して外気Ｂ１につながっており、部位Ａ１１は、他の縦折り線を経由すること無く外気Ｂ１につながっている。
【００４８】
図１３（ｄ）では、部位Ａ１３、部位Ａ１５が、他の縦折り線を経由すること無く外気Ｂ１につながっている。図１３（ｅ）では、部位Ａ１７が、他の１本の縦折り線を経由して外気Ｂ１につながっており、部位Ａ１９，Ａ２１，Ａ２３は、他の縦折り線を経由すること無く外気Ｂ１につながっている。図１３（ｆ）では、部位Ａ２５，Ａ２７が、他の縦折り線を経由すること無く外気Ｂ１につながっている。
【００４９】
なお、上述した各縦折りをすることで、エプロン１が、図１３（ｂ）〜（ｆ）のいずれかの態様になっていてもよい。
【００５０】
第２の縦折りがなされ第２の斜折りがなされた後に、背面部９が奥側に位置し前面部７が手前側に位置している状態を維持したまま、図７で示すように、第１の横折りをする。
【００５１】
第１の横折りは、第１の横折り線Ｌ７のところでエプロン１を折り曲げることでなされる。第１の横折りがなされたことで、前面部７の第１の横折り線Ｌ７よりも背面部９とは反対側の部位（下側の部位）が手前側に来て前面部７同士が接触する（重なる；図８参照）。
【００５２】
第１の横折り線Ｌ７は、エプロン１の縦方向（上下方向）における背面部とは反対側（下側）でエプロン１の横方向（左右方向）に延びている。
【００５３】
さらに説明すると、第１の横折りがなされたことで、第１の横折り線Ｌ７のところで、１８０°程度の谷折りがなされ、第１の横折り線Ｌ７よりも下側の部位の厚さ方向と第１の横折り線Ｌ７よりも上側の部位の厚さ方向とがお互いに一致して重なっている。なお、第２の縦折り後の状態における、エプロンの縦方向の下端と第１の横折り線との間の距離Ｗ５の値と、エプロン１の縦方向の寸法Ｗ７の値との比は、１／５程度になっている（図７参照）。
【００５４】
第１の横折りがなされた後に、背面部９が奥側に位置し前面部７が手前側に位置している状態を維持したまま、図８で示すように、第２の横折りをする。
【００５５】
第２の横折りは、第２の横折り線Ｌ８のところでエプロン１を折り曲げることでなされる。第２の横折りがなされたことで、前面部７同士が接触する（重なる；図９参照）。
【００５６】
第２の横折り線Ｌ８は、エプロン１の縦方向（上下方向）における中央部でエプロン１の横方向（左右方向）に延びている。したがって、第２の横折りがなされたことで、エプロン１の上下方向の寸法が図１／２になる（図８の場合に比べて図９で約１／２になる）。
【００５７】
さらに説明すると、第２の横折りがなされたことで、第２の横折り線Ｌ８のところで、１８０°程度の谷折りがなされ、第２の横折り線Ｌ８よりも下側の部位の厚さ方向と第２の横折り線Ｌ８よりも上側の部位の厚さ方向とがお互いに一致して重なっている。
【００５８】
第２の横折りがなされた後に、背面部９が奥側に位置し前面部７が手前側に位置している状態を維持したまま、図９で示すように、第３の横折りをする。
【００５９】
第３の横折りは、第３の横折り線Ｌ９のところでエプロン１を折り曲げることでなされる。第３の横折りがなされたことで、前面部７同士が接触する（重なる）。
【００６０】
第３の横折り線Ｌ９は、エプロン１の縦方向（上下方向）における中央部でエプロン１の横方向（左右方向）に延びている。したがって、第３の横折りがなされたことで、エプロン１の上下方向の寸法が約１／２になる（図９の場合に比べて図１０で約１／２になる）。
【００６１】
さらに説明すると、第３の横折りがなされたことで、第３の横折り線Ｌ９のところで、１８０°程度の谷折りがなされ、第３の横折り線Ｌ９よりも下側の部位の厚さ方向と第３の横折り線Ｌ９よりも上側の部位の厚さ方向とがお互いに一致して重なっている。
【００６２】
図１０は、図９において第３の横折り線Ｌ９のところでエプロンを折り終えた状態を示している。ただし、図１０では、図９において第３の横折り線Ｌ９のところで折り終えたエプロン１を裏返して示している（背面部９が手前にくるように裏返している）。
【００６３】
第１の横折りと第２の横折りと第３の横折りとがなされることで、図１４（ａ）（図１０におけるＸＩＶ−ＸＩＶ断面）に示すようになる。なお、図１４（ａ）では、理解を容易にするために、前面部７（本体部１５の部位）、背面部９（破線参照；袖部１３を除く部位）のみが示されている。
【００６４】
ところで、上述した第１の横折りを削除してもよい。
【００６５】
すなわち、第２の縦折りがなされ第２の斜折りがなされた後に、背面部９が奥側に位置し前面部７が手前側に位置している状態を維持したまま、エプロン１の縦方向における中央部でエプロン１の横方向に延びた第１の横折り線のところで、前面部７同士が接触するように、第１の横折りをし、この第１の横折りをした後に、エプロン１の縦方向における中央部でエプロン１の横方向に延びた第２の横折り線のところで、前面部７同士が接触するように、第２の横折りをするようにしてもよい。これにより、図１０におけるＸＩＶ−ＸＩＶ断面は、図１４（ｂ）で示すようになる。
【００６６】
また、第２の縦折りがなされ第２の斜折りがなされた後に、上述した第１の横折りと第２の横折りと第３の横折りとをすることに代えて、背面部９が奥側に位置し前面部７が手前側に位置している状態を維持したまま、エプロン１縦方向で所定の間隔をあけエプロン１横方向に延びた複数の横折り線のところで、つづら折りをしてもよい。これにより、図１０におけるＸＩＶ−ＸＩＶ断面は、図１４（ｃ）で示すようになる。
【００６７】
つづら折りについて詳しく例示する説明する。前述した第２の縦折りがなされ第２の斜折りがなされた後に、背面部９が奥側に位置し前面部７が手前側に位置している状態を維持したまま、第２の縦折りがなされ第２の斜折りがなされたエプロン１の縦方向で一定の間隔をあけ横方向に延びている複数本（たとえば４本）の横折り線（第１の横折り線〜第４の横折り線）を設定する。
【００６８】
第１の横折り線は、第２の縦折りがなされ第２の斜折りがなされ背面部９が奥側に位置し前面部７が手前側に位置しているエプロン１の背面部側（上側）に位置しており、第２の横折り線は、第１の横折り線の下側に位置しており、第３の横折り線は、第２の横折り線の下側に位置しており、第４の横折り線は、第３の横折り線の下側に位置している。
【００６９】
まず、第２の縦折りがなされ第２の斜折りがなされ背面部が奥側に位置し前面部が手前側に位置しているエプロンを、第１の横折り線のところで、１８０°程度の谷折りする。これにより、第１の横折り線よりも下側に位置していた部位が、第１の横折り線よりも上側に位置するようになる。
【００７０】
続いて、第２の横折り線のところで、１８０°程度の谷折りする。これにより、第２の横折り線よりも上側に位置していた部位が、第２の横折り線よりも下側に位置するようになる。
【００７１】
続いて、第３の横折り線のところで、１８０°程度の谷折りする。これにより、第３の横折り線よりも下側に位置していた部位が、第３の横折り線よりも上側に位置するようになる。
【００７２】
続いて、第４の横折り線のところで、１８０°程度の谷折りする。これにより、第４の横折り線よりも上側に位置していた部位が、第４の横折り線よりも下側に位置するようになる。
【００７３】
上述した第１の横折り線〜第４の横折り線による折り込みで、エプロン１の上下方向の寸法は、約１／５になる。
【００７４】
なお、上述した各横折りをした後のいずれのもの（図１４（ａ），（ｂ），（ｃ）参照）にあっても、背面部９は、縦方向に延びた縦折り線のところで折られているだけであり、横方向に延びた横折り線のところでは折られていない。そして、背面部９の左右方向中央部の下端２７は、エプロン１の他のいずれの部位によっても覆われておらずに露出している。また、首だし孔１１は、背面部９の左右方向中央部の下端２７とは反対側（前面部７の上側）で露出している。
【００７５】
また、上述した各横折りをした後のいずれのもの（図１４（ａ），（ｂ），（ｃ）参照）にあっても、図１３を用いて説明した場合と同様にして、縦方向で、横折り線のところの谷の部位が、１回以下の他の横折り線を経由して、外気につながっている。
【００７６】
さらに、エプロン１において、上述した縦折りと横折りとがなされた後に（図１０や図１４や図１５（ａ）で示す態様になっている態様で）、背面部９が奥側に位置し前面部７が手前側に位置している状態を維持したまま、第３の縦折りと第４の縦折りとをしてもよい。
【００７７】
すなわち、図１０で示すように、第３の縦折り線Ｌ１０ａのところで、前面部７の第３の縦折り線Ｌ１０ａよりも一端側の部位（たとえば右側の部位）が奥側に行き前面部７同士が接触するように、第３の縦折りをし、第３の縦折りがなされた後に、第４の縦折り線Ｌ１０ｂのところで、前面部７の第４の縦折り線Ｌ１０ｂよりも他端側の部位（たとえば左側の部位）が奥側に行き前面部７同士が接触するように、第４の縦折りをしてもよい。
【００７８】
第３の縦折り線Ｌ１０ａは、エプロン１の横方向（左右方向）の一端側（たとえば右側）でエプロン１の縦方向（上下方向）に延びており、第４の縦折り線Ｌ１０ｂは、エプロン１の横方向（左右方向）の他端側（たとえば左側）でエプロン１の縦方向（上下方向）に延びている。
【００７９】
さらに説明すると、図１１や図１５（ｂ）で示すように、第３の縦折りがなされたことで、第３の縦折り線Ｌ１０ａのところで１８０°程度の谷折り（図１０では山折り）がなされ、第３の縦折り線Ｌ１０ａよりも右側の部位の厚さ方向と第３の縦折り線Ｌ１０ａよりも左側の部位の厚さ方向とがお互いに一致して重なっている。
【００８０】
図１０で示す形態まで折りたたまれているエプロン１の横方向の一端と第３の縦折り線Ｌ１０ａとの間の距離Ｗ９の値と、エプロン１の横方向の寸法の値との比は、１／３．５程度になっている。なお、上記比の範囲が１／４から１／３の間の値になっていてもよいし、さらには、上記比の範囲が１／５〜１／２の間の値になっていてもよい。
【００８１】
また、第３の縦折りの場合と同様にして、第４の縦折りがなされたことで、第４の縦折り線Ｌ１０ｂのところで、１８０°程度の谷折り（図１０では山折り）がなされ、第４の縦折り線Ｌ１０ｂよりも左側の部位の厚さ方向と第４の縦折り線Ｌ１０ｂよりも右側の部位の厚さ方向とがお互いに一致して重なっている。
【００８２】
第３の縦折り線Ｌ１０ａと第４の縦折り線Ｌ１０ｂとは、図１０で示す形態まで折りたたまれているエプロン１の中心を通り上下方向に延びる中心線に対してお互いが対称になっている。なお、上記比が１／２である場合には、第４の縦折りはなされない。
【００８３】
なお、上述した各縦折り（横折り後の第３縦折りと第４の縦折り）をした後のいずれのもの（図１１、図１５（ｂ）参照）にあっても、図１０で示した場合と同様に、背面部９は、縦方向に延びた縦折り線のところで折られているだけであり、横方向に延びた横折り線のところでは折られていない。そして、背面部９の左右方向中央部の下端２７は、エプロン１の他のいずれの部位によっても覆われておらずに露出している。また、首出し孔１１も露出している。
【００８４】
また、横折り後の第３縦折りと第４の縦折りをすることによって、エプロン１が図１５（ｃ）で示す態様に折りたたまれてよい。図１５（ｃ）は、上述した第３縦折りと第４の縦折りの変形例（図１３（ａ）の変形例）を示している。
【００８５】
上述した各縦折り（横折り後の第３縦折りと第４の縦折り）をした後、いずれの場合であっても、図１３を用いて説明した場合と同様にして、縦方向で、縦折り線のところの谷の部位が、１回以下の他の縦折り線を経由して、外気につながっている。
【００８６】
なお、図９において折り曲げ線Ｌ９で折ったものを、図１０では、裏返して表示しているので、図１０では、折り曲げ線Ｌ１０ａ，Ｌ１０ｂのところで、上述したようにエプロン１を山折りすることになる。
【００８７】
また、エプロン１の背面部９には、図４等で示すように、第１の縦折り（縦折り線Ｌ４での折りたたみ）をする位置の目印（たとえば、先端が尖っている凸部）２９と、第２の縦折り（縦折り線Ｌ６での折りたたみ）をする位置の目印（たとえば、先端が尖っている凸部）２９とが設けられている。なお、目印２９が、凸部ではなく凹部もしくは貫通孔で形成されていてもよい。
【００８８】
図１１に示す状態まで折りたたまれているエプロン１は、別途袋に入れられて保管される。そして、図１１の状態のエプロン１を使用する場合には、エプロン１を袋から取り出し。図１２（ａ）で示すように、背面部９と前面部７との間の指を入れ、エプロン１を適宜振れば、途中でひっかかることなく、図１２（ｂ）に示すように、エプロン１は展開し、使用できる状態になる。
【００８９】
エプロン１によれば、上述した順序で折りたたみがなされている（第１の縦折り、第２の縦折り、第１の横折り、第２の横折り、第３の横折りがなされている）ことで、従来のものよりも折りたたみ方が簡素化されており、使用に際したたまれている状態から広げる場合、開く途中での引っかかりがなくなり、広げるために要する時間を従来よりも相当に短縮することができる。
【００９０】
これにより、エプロン１を着用するまでに要する時間を短縮することができ、たとえば患者の咳やくしゃみなどによって飛散する体液の粒子(飛沫)や、出血や嘔吐物が、医療従事者の身体や着用している衣服等に直接付着することがないよう、エプロン１の着用者が着用しているエプロン１で受けることができ、二次感染等を防止することができる。
【００９１】
さらに説明すると、従来の折りたたまれたエプロンは、ひっかかりによって一度には広がらず（開かず）、病院や救急で使用する緊急時にすぐに着用できるものとは言えない。
【００９２】
本実施形態に係るエプロン１の折りたたみ方は、袖付きエプロンを着用するときに「首だし孔」に頭を通してから袖部に両腕を通すのであるが、まずは「首だし孔」をすぐに見つけられるようにするために検討した結果、創作されたものである。
【００９３】
そして、本実施形態に係るエプロン１では、上述した折りたたみによって次のような効果を得ることができる。
【００９４】
すなわち、背面部の左右方向中央部の下端が、エプロン１の他のいずれの部位によっても覆われておらずに露出している。また、首だし孔１１は、背面部９の左右方向中央部の下端２７とは反対側で露出している（図１１参照）。これによって、首だし孔１１を瞬時に見つけることができる。また、エプロン１を広げるとき、背面部９の左右方向中央部の下端２７から、背面部９と前面部７との間に指を入れてエプロン１をゆすれば、エプロン１が引っかかることなくエプロン１が瞬時に開く。
【００９５】
そして、エプロン１の前面部７の前側の面に手が触れることなく、手についている雑菌やウイルスや汚れが患者と接する箇所であるエプロン１の前面部７の前側の面についてしまうことが防止され、エプロン１の着用者の雑菌等が患者にうつってしまうことを防止することができる。
【００９６】
また、エプロン１によれば、折り方が簡素化されているので、折る際に空気抜きがしやすくなっており、エプロン１の折りたたみがしやすくなっている。
【００９７】
また、エプロン１によれば、第１の縦折り、第２の縦折り、第１の横折り、第２の横折り、第３の横折りに加えて、第３の縦折り、第４の縦折りがなされているので、折りたたまれているエプロン１のサイズを一層小さくすることができる。なお、第３の縦折り、第４の縦折りが加えてなされていても、エプロン１を開くときにひっかかりが発生することは無く、首だし孔１１が隠れてしまうこともない。
【００９８】
また、エプロン１によれば、背面部９に、第１の縦折り、第２の縦折りをする位置の目印２９が設けられているので、熟練者でなくてもエプロン１を正確かつ迅速に折りたたむことができる。
【００９９】
また、エプロン１によれば、腰紐１９が下方に延伸しているので、図３に示す形態ものを切り出すときに材料の無駄が少なくなり、また、エプロン１の折りたたみがしやすくなっている。すなわち、腰紐１９が下方に延伸していることで、着用者の後方に位置する腰紐１９を手探りで簡単に探すことができるのである。
【０１００】
ところで、エプロン１において、折りたたみ方を変更してもよい。上記たたみ方では、縦折りをし、横折りをし、その後、縦折りをしているが、縦無しでいきなり横折線での横折りをし、その後縦折り線でも縦折りをするようにしてもよい。
【０１０１】
すなわち、エプロン１を次のようにして折りたたんでもよい。
【０１０２】
まず、エプロン１の横方向の一端側の袖部の付け根のところで斜めに延びている第１の斜折り曲げ線のところで、一端側の袖部１３が前面部７の手前側に来て一端側の袖部１３がこの袖部１３を除く前面部７に接触するように、第１の斜折りをする。
【０１０３】
続いて、エプロン１の横方向の他端側の袖部の付け根のところで斜めに延びている第２の斜折り曲げ線のところで、他端側の袖部１３が前面部７の手前側に来て他端側の袖部１３がこの袖部１３を除く前面部７に接触するように、第２の斜折りをする。
【０１０４】
続いて、各斜折りがなされた後に、背面部９が奥側に位置し前面部７が手前側に位置している状態を維持したまま、エプロン１の縦方向における背面部９とは反対側（下側）でエプロン１の横方向に延びた第１の横折り線のところで、前面部７の第１の横折り線よりも背面部９とは反対側の部位（下側の部位）が手前側に来て前面部７同士が接触するように、第１の横折りをする。
【０１０５】
続いて、第１の横折りがなされた後に、エプロン１の縦方向における中央部でエプロン１の横方向に延びた第２の横折り線のところで、前面部７同士が接触するように、第２の横折りをする。
【０１０６】
続いて、第２の横折りがなされた後に、エプロン１の縦方向における中央部でエプロン１の横方向に延びた第３の横折り線のところで、前面部７同士が接触するように、第３の横折りをする。
【０１０７】
なお、上記変形例における第１の横折りと第２の横折りと第３の横折りとに代えて、図１４（ｂ）、（ｃ）で示し説明したような複数回の横折りをしてもよい。
【０１０８】
続いて、上記各横折り線のところでの折り込みがなされた後に、背面部９が奥側に位置し前面部７が手前側に位置している状態を維持したまま、エプロン１の横方向の一端側でエプロン１の縦方向に延びた第１の縦折り線のところで、前面部７の第１の縦折り線よりも一端側の部位が手前側に来て前面部７同士が接触するように、第１の縦折りをする。
【０１０９】
続いて、第１の縦折りがなされた後に、エプロン１の横方向の他端側でエプロン１の縦方向に延びた第２の縦折り線のところで、前面部７の第２の縦折り線よりも他端側の部位が手前側に来て前面部７同士が接触するように、第２の縦折りをする。
【０１１０】
さらに、横方向の寸法を小さくするために、第１の縦折り線のところでの折り込みがなされ、第２の縦折り線のところでの折り込みがなされた後に、背面部９が奥側に位置し前面部７が手前側に位置している状態を維持したまま、エプロン１の横方向の一端側で前記エプロン１の縦方向に延びた第３の縦折り線のところで、前面部７の第３の縦折り線よりも一端側の部位が手前側に来て前面部７同士が接触するように、第３の縦折りをする。
【０１１１】
続いて、第３の縦折りがなされた後に、エプロン１の横方向の他端側でエプロン１の縦方向に延びた第４の縦折り線のところで、前面部７の第４の縦折り線よりも他端側の部位が手前側に来て前面部７同士が接触するように、第４の縦折りをする。
【０１１２】
以上により、エプロン１が変形例されて折りたたまれていてもよい。
【０１１３】
なお、上述した変形例に係る折り方をした後であっても、背面部９は、縦方向に延びた縦折り線のところで折られているだけであり、横方向に延びた横折り線のところでは折られていない。そして、背面部９の左右方向中央部の下端２７は、エプロン１の他のいずれの部位によっても覆われておらずに露出している。また、首出し孔１１も露出している。
【０１１４】
エプロン１において、さらに、折りたたみ方を変更してもよい。上述した折りたたみ方では、縦折りをし、横折りをし、その後、縦折りをしているが、横折りの後に縦折りをしているが、最初に縦折り線での縦折をし、その後横折りをしてもよい。
【０１１５】
すなわち、エプロン１を次のようにして折りたたんでもよい。
【０１１６】
まず、エプロン１の横方向の一端側の袖部１３の付け根のところで斜めに延びている第１の斜折り曲げ線のところで、一端側の袖部１３が前面部７の手前側に来て一端側の袖部１３がこの袖部１３を除く前面部７に接触するように、第１の斜折りをする。
【０１１７】
続いて、エプロン１の横方向の他端側の袖部１３の付け根のところで斜めに延びている第２の斜折り曲げ線のところで、他端側の袖部１３が前面部７の手前側に来て他端側の袖部１３がこの袖部１３を除く前面部７に接触するように、第２の斜折りをする。
【０１１８】
続いて、各斜折りがなされた後に、背面部９が奥側に位置し前面部７が手前側に位置している状態を維持したまま、エプロン１の横方向の一端側でエプロン１の縦方向に延びた第１の縦折り線のところで、前面部７の第１の縦折り線よりも一端側の部位が手前側に来て前面部７同士が接触するように、第１の縦折りをする。
【０１１９】
続いて、第１の縦折りがなされた後に、エプロン１の横方向の他端側でエプロン１の縦方向に延びた第２の縦折り線のところで、前面部７の第２の縦折り線よりも他端側の部位が手前側に来て前面部７同士が接触するように、第２の縦折りをする。
【０１２０】
続いて、第２の縦折り線のところでの折り込みがなされた後に、エプロン１の横方向の一端側でエプロン１の縦方向に延びた第３の縦折り線のところで、前面部７の第３の縦折り線よりも一端側の部位が手前側に来て前面部７同士が接触するように、第３の縦折りをする。
【０１２１】
続いて、第３の縦折りがなされた後に、エプロン１の横方向の他端側でエプロン１の縦方向に延びた第４の縦折り線のところで、前面部７の第４の縦折り線よりも他端側の部位が手前側に来て前面部７同士が接触するように、第４の縦折りをする。
【０１２２】
続いて、各縦折りがなされた後に、背面部９が奥側に位置し前面部７が手前側に位置している状態を維持したまま、エプロン１の縦方向における背面部９とは反対側（下側）でエプロン１の横方向に延びた第１の横折り線のところで、前面部７の第１の横折り線よりも背面部９とは反対側の部位（下側の部位）が手前側に来て前面部７同士が接触するように、第１の横折りをする。
【０１２３】
続いて、第１の横折りがなされた後に、エプロン１の縦方向における中央部でエプロン１の横方向に延びた第２の横折り線のところで、前面部７同士が接触するように、第２の横折りをする。
【０１２４】
続いて、第２の横折りがなされた後に、エプロン１の縦方向における中央部でエプロン１の横方向に延びた第３の横折り線のところで、前面部７同士が接触するように、第３の横折りをする。
【０１２５】
なお、上記変形例における第１の横折りと第２の横折りと第３の横折りとに代えて、図１４（ｂ）、（ｃ）で示し説明したような複数回の横折りをしてもよい。
【０１２６】
以上により、エプロン１における別の変形例に係る折りたたみがなされていてもよい。
【０１２７】
なお、上述した変形例に係る折り方をした後であっても、背面部９は、縦方向に延びた縦折り線のところで折られているだけであり、横方向に延びた横折り線のところでは折られていない。そして、背面部９の左右方向中央部の下端２７は、エプロン１の他のいずれの部位によっても覆われておらずに露出している。また、首出し孔１１も露出している。
【０１２８】
なお、上述したエプロン１は、次に示すケースＡ，Ｂ，Ｃ，Ｄのいずれかの折りたたみがなされているものの例である。
【０１２９】
ケースＡとして、まず、エプロン１が広げられて「Ｔ」字状になっており背面部９が奥側に位置し前面部７が手前側に位置している状態（折り曲げ前の初期状態）から、エプロン１の横方向で所定の間隔をあけてエプロン１の縦方向に延びている複数本の縦折り線それぞれのところで、縦折り線のところの谷の部位が横方向で１回以下の他の縦折り線を経由して外気につながる第１の谷折り、第１の山折りの少なくともいずれかをする。
【０１３０】
続いて、第１の谷折り、第１の山折りがなされた後、背面部９が奥側に位置し前面部７が手前側に位置している状態を維持したまま、エプロン１の縦方向で所定の間隔をあけてエプロン１の横方向に延びている複数本の横折り線それぞれのところで、横折り線のところの谷の部位が縦方向で１回以下の他の横折り線を経由して外気につながる第２の谷折り、第２の山折りの少なくともいずれかをする。
【０１３１】
続いて、第２の谷折り、第２の山折りがなされた後、背面部９が奥側に位置し前面部７が手前側に位置している状態を維持したまま、エプロン１の横方向で所定の間隔をあけてエプロン１の縦方向に延びている複数本の縦折り線それぞれのところで、縦折り線のところの谷の部位が横方向で１回以下の他の縦折り線を経由して外気につながる第３の谷折り、第３の山折りの少なくともいずれかをする。
【０１３２】
ケースＢとして、まず、エプロン１が広げられて「Ｔ」字状になっており背面部９が奥側に位置し前面部７が手前側に位置している状態（折り曲げ前の初期状態）から、エプロン１の横方向で所定の間隔をあけてエプロン１の縦方向に延びている複数本の縦折り線それぞれのところで、縦折り線のところの谷の部位が横方向で１回以下の他の縦折り線を経由して外気につながる第１の谷折り、第１の山折りの少なくともいずれかをする。
【０１３３】
続いて、第１の谷折り、第１の山折りがなされた後、背面部９が奥側に位置し前面部７が手前側に位置している状態を維持したまま、エプロン１の縦方向で所定の間隔をあけてエプロン１の横方向に延びている複数本の横折り線それぞれのところで、横折り線のところの谷の部位が縦方向で１回以下の他の横折り線を経由して外気につながる第２の谷折り、第２の山折りの少なくともいずれかをする。
【０１３４】
ケースＣとして、エプロン１が広げられて（「Ｔ」字状になっており背面部９が奥側に位置し前面部７が手前側に位置している状態（折り曲げ前の初期状態）から、エプロン１の縦方向で所定の間隔をあけてエプロン１の横方向に延びている複数本の横折り線それぞれのところで、横折り線のところの谷の部位が縦方向で１回以下の他の横折り線を経由して外気につながる第１の谷折り、第１の山折りの少なくともいずれかをする。
【０１３５】
続いて、第１の谷折り、第１の山折りがなされた後、背面部９が奥側に位置し前面部７が手前側に位置している状態を維持したまま、エプロン１の横方向で所定の間隔をあけてエプロン１の縦方向に延びている複数本の縦折り線それぞれのところで、縦折り線のところの谷の部位が横方向で１回以下の他の縦折り線を経由して外気につながる第２の谷折り、第２の山折りの少なくともいずれかをする。
【０１３６】
ケースＤとして、エプロン１が広げられて「Ｔ」字状になっており背面部９が奥側に位置し前面部７が手前側に位置している状態（折り曲げ前の初期状態）から、エプロン１の縦方向で所定の間隔をあけてエプロン１の横方向に延びている複数本の横折り線それぞれのところで、横折り線のところの谷の部位が縦方向で１回以下の他の横折り線を経由して外気につながる第１の谷折り、第１の山折りの少なくともいずれかをする。
【０１３７】
続いて、第１の谷折り、第１の山折りがなされた後、背面部９が奥側に位置し前面部７が手前側に位置している状態を維持したまま、エプロン１の横方向で所定の間隔をあけてエプロン１の縦方向に延びている複数本の縦折り線それぞれのところで、縦折り線のところの谷の部位が横方向で１回以下の他の縦折り線を経由して外気につながる第２の谷折り、第２の山折りの少なくともいずれかをする。
【０１３８】
続いて、第２の谷折り、第２の山折りがなされた後、背面部９が奥側に位置し前面部７が手前側に位置している状態を維持したまま、エプロン１の縦方向で所定の間隔をあけてエプロン１の横方向に延びている複数本の横折り線それぞれのところで、横折り線のところの谷の部位が縦方向で１回以下の他の横折り線を経由して外気につながる第３の谷折り、第３の山折りの少なくともいずれかをする。
【０１３９】
なお、ケースＡ、ケースＢ、ケースＣ、ケースＤいずれの折り方をした後であっても、背面部９は、縦方向に延びた縦折り線のところで折られているだけであり、横方向に延びた横折り線のところでは折られていない。そして、背面部９の左右方向中央部の下端２７は、エプロン１の他のいずれの部位によっても覆われておらずに露出している。また、首出し孔１１も露出している。
【符号の説明】
【０１４０】
１  エプロン
７  前面部
９  背面部
１１  首通し孔
１３  袖部
Ｌ４  第１の縦折り線
Ｌ６  第２の縦折り線
Ｌ７  第１の横折り線
Ｌ８  第２の横折り線
Ｌ９  第３の横折り線
Ｌ１０ａ  第３の縦折り線
Ｌ１０ｂ  第４の縦折り線
【図１】
2014084541.tif 000003
【図２】
2014084541.tif 000004
【図３】
2014084541.tif 000005
【図４】
2014084541.tif 000006
【図５】
2014084541.tif 000007
【図６】
2014084541.tif 000008
【図７】
2014084541.tif 000009
【図８】
2014084541.tif 000010
【図９】
2014084541.tif 000011
【図１０】
2014084541.tif 000012
【図１１】
2014084541.tif 000013
【図１２】
2014084541.tif 000014
【図１３】
2014084541.tif 000015
【図１４】
2014084541.tif 000016
【図１５】
2014084541.tif 000017